(57)【要約】【目的】湖や河川、海などの水面上に浮かべて各種植物を特に水質汚染の解消や環境浄化を目的として生育・繁茂させるために用いる簡易且つ低コストな浮島を提供する。【構成】水に対して浮力のある自動車用廃棄タイヤを利用したリング状部材２を複数個連結して構成する浮島部体１に該浮島部体１に取付けて浸水深さを調整する複数の調整手段４を配設し、前記浮島部体１の表面部に埴土を敷設して植物が生育できるようにした植物生育用浮島。【選択図】              図２
0003105403.tif 000002
【実用新案登録請求の範囲】
【請求項１】
水に対して浮力のある自動車用廃棄タイヤを利用したリング状部材を複数個連結して構成する浮島部体に該浮島部体に取付けて浸水深さを調整する複数の調整手段を配設し、前記浮島部体の表面部に埴土を敷設して植物が生育できるようにしたことを特徴とする植物生育用浮島。
【請求項２】
複数個連結したリング状部材により構成される浮島部体の上面部に棒状材や板状材を張り渡して連結強度と安定性を向上させていることを特徴とする請求項１に記載の植物生育用浮島。
【請求項３】
複数個連結したリング状部材により構成される浮島部体の上面部にネット状部材を張り渡して連結強度と安定性を向上させていることを特徴とする請求項１または請求項２に記載の植物生育用浮島。
【考案の詳細な説明】
【技術分野】
【０００１】
本考案は、湖や河川、海などの水面上に浮かべて各種植物を特に水質汚染の解消や環境浄化を目的として生育・繁茂させるために用いる簡易且つ低コストな浮島を提供しようとするものである。
【背景技術】
【０００２】
都市部等の人口密集地帯近傍の湖や河川、海などは多くの家庭から排出される生活排水によって汚染され、水辺の自然環境が破壊されてきている。
【０００３】
このような水質悪化を防止するために、生活排水をそのまま河川等に流さずに汚染物質除去や消毒処理を専用の水処理施設により行うようになってきている。
【０００４】
このような水の浄化処理はできるだけ薬剤などを使わず環境負荷の少ない手法で行われるべきであり、このような観点から微生物を利用したり植物の浄化作用を活用しようとする研究が多方面で進められている。
また、専用の水処理施設を利用しながら植物栽培を行う技術に関しては以下のような特許が存在している。
【特許文献１】特許第３２９６８１２号公報
【考案の開示】
【考案が解決しようとする課題】
【０００５】
生活排水浄化のために専用の水処理施設を建設する場合は、多大な建設費用が必要であるし、すべての生活排水を該水処理施設に送り込むことも容易でなく、また薬剤等を利用した浄化処理であれば自然環境に対する負荷が懸念されてしまう。
【０００６】
植物の水浄化作用を利用する場合には環境に対する負荷は殆ど無いと言えるが、実際に湖や河川の水質浄化に用いる場合にはその水表面積の少なくとも３％以上に水浄化作用を持った植物を繁茂させる必要があり、適切な管理を行いながらこれを実施するにはコスト上の問題が大きい。
【課題を解決するための手段】
【０００７】
本考案は、植物の水浄化作用を利用した水処理を適切な規模で実際に行うための設備を実現可能なコストで提供するために水に対する浮力を持たせた複数の廃タイヤを連結して構成する浮島を提案するものであって、具体的には以下の如くである。
【０００８】
（１）水に対して浮力のある自動車用廃棄タイヤを利用したリング状部材を複数個連結して構成する浮島部体に該浮島部体に取付けて浸水深さを調整する複数の調整手段を配設し、前記浮島部体の表面部に埴土を敷設して植物が生育できるようにしたことを特徴とする植物生育用浮島。
【０００９】
（２）複数個連結したリング状部材により構成される浮島部体の上面部に棒状材や板状材を張り渡して連結強度と安定性を向上させていることを特徴とする前記（１）項に記載の植物生育用浮島。
【００１０】
（３）複数個連結したリング状部材により構成される浮島部体の上面部にネット状部材を張り渡して連結強度と安定性を向上させていることを特徴とする前記（１）項または（２）項に記載の植物生育用浮島。
【実施例】
【００１１】
上記したような本考案の具体的な実施の態様を添付図面などを利用して説明すると以下のとおりである。
すなわち、図１は本考案の浮島１の基礎部分を構築する自動車用の廃タイヤを利用したリング状部材２を複数個平面的に連結する状態の１例を示している。
【００１２】
この基礎部分は少なくとも数年にわたって本考案の浮島１を機能させ続ける必要があるが、自動車用の廃タイヤは十分な強度と水中における耐久性を有しながら、一般には廃棄物として処理されるもので、これを入手するコストは事実上殆ど必要とされていないのが現状である。
【００１３】
もちろん、廃タイヤそのものは水に沈んでしまうので、廃タイヤ内部に相当な浮力をもった浮力材を充填して浮島１の基礎部分として十分機能するものとしなければならない。
【００１４】
複数個の廃タイヤ（リング状部材２）は、丈夫な紐材や金属リングを必要に応じて組合わせて構成する連結手段３により平面的に連結される。本考案の浮島１を設置する水面を適切に覆うためである。浮島１は少なくとも数年間継続して使用されるので、この連結手段３の素材や連結手法もこの点を十分に考慮したものでなければならない。
【００１５】
利用する廃タイヤのサイズは出来るだけ揃ったものであることが望ましいが、連結手段３の使い方次第である程度の範囲であれば調整可能である。また、廃タイヤ内部に充填した浮力材が浮島１の使用中に抜け出したりしないように配慮することも重要である。
【００１６】
本考案の浮島１は湖や河川などの生活排水で汚れた水を植物の浄化作用を利用して浄化処理する目的で設置されるものであるから、適切な設置場所に浮島を固定的に浮かべておく必要があるが、そのために用いる複数の調整手段の使用状況の１例を図２として示す。
【００１７】
この調整手段４は水底に着いてアンカー的に機能する錘部材５と浮島１との連結維持のために用いる紐材６とにより構成される。この紐材６の長さを調整することで浮島１の浸水深さを調整することも可能である。ここでの錘部材５や紐材６についても数年以上にわたる浮島１の使用状況を考えて適切な選択をしておく必要がある。
【００１８】
このようにして構築された浮島１の基礎部分は、これだけでは水質浄化作用を有する各種植物を繁茂させるに不十分である。そこでこの基礎部分の上に、図３にあるように板状材７を張り渡したり棒状材を組合わせたものを張り渡して、浮島１としての形状を安定化し、また各リング状部材２同士の連結をより強固なものとすることが好ましい。
【００１９】
このような補強を施しておくことで、浮島１上で人間が植物の手入れ等の作業を行う場合でもより安全に行えるようになると理解される。また、同様の目的を達成するために図４にあるようにネット状部材８を組合わせて用いることも有効である。
【００２０】
浮島１に実際に水質浄化作用を持った各種植物を繁茂させるためには、さらに表面部に植土を施して植物の生育環境を整える必要がある。本考案で想定する水質浄化作用を持った植物は、根から水分と共に生活排水に含まれる燐や窒素などの適切に吸収し、しかも水中に光合成による酸素を排出するものである。
したがって、浮島１上で生育する各種植物の根が浮島１の設置場所の水中に伸び広がることができ、しかも植土などが水中に流出しないように配慮する必要がある。
【００２１】
このためには、各種の繊維質材料を植土に基材として適宜に利用し植物の根が水中に伸び拡がることはできるが植土が溶け出すことはないように構成する。ここで採用すべき繊維質材料としては人工的なものであっても良いが、少なくとも数年以上使い続けられる浮島１に用いる材料として必要な耐久性を備えているものを選択しなければならない。
【００２２】
また、水中に有害な化学物質が溶け出すことがあっても不都合であるので、自然の植物性繊維材を採用することが好ましい。
【００２３】
水浄化作用を持った植物に関しては広く研究がなされており、実験レベルにおいてその実効性も確認されている。本考案においては、浮島１を適用する水域の汚染程度や汚染物質の種類に応じて適切な種類の植物を選択することができる。
【００２４】
植物の水浄化作用を利用する本考案の浮島１によって生活排水により汚染が進んだ河川や湖などの水域に対して水質改善を図る場合には、少なくとも数％程度の水面の面積に設置しなければ効果が望めない。実験レベルの小さな規模で実効性が確認できても現実に大きな水面上に実施することが困難であったのは大きな面積に設置する浮島１の如きを現実的な低コストで得ることができなかったからであるが、本考案はその基本構造部分を極めて低廉な廃タイヤを利用して構築できるので、実際の汚染水域の広い範囲に対しても低コストで実施することが可能である。
【００２５】
以上説明したように本考案によれば、有効な利用方法がなかった自動車用廃タイヤを特別な加工等を施すことなくそのまま利用して人口過密部の生活排水で汚れた河川や湖などの水域を自然の植物の水浄化作用をにより水質改善するための浮島を極めて低コストに提供して、相当な面積を有する実際の水域に実効的に実施することが可能となるものであって、産業上の利用可能性が高い考案である。
【図面の簡単な説明】
【００２６】
【図１】本考案の浮島の基礎部分を構築する自動車用の廃タイヤを利用したリング状部材２を複数個平面的に連結する状態の１例である。
【図２】適切な設置場所に浮島を固定的に浮かべておくために用いる複数の調整手段の使用状況の１例である。
【図３】浮島の基礎部分の上に板状材を張り渡した状態の１例である。
【図４】板状材と組合わせてネット状部材を用いる場合の１例である。
【符号の説明】
【００２７】
１    浮島
２    リング状部材
３    連結手段
４    調整手段
５    錘部材
６    紐材
７    板状材
８    ネット状部材
【図１】
0003105403.tif 000003
【図２】
0003105403.tif 000004
【図３】
0003105403.tif 000005
【図４】
0003105403.tif 000006